(57)【要約】【課題】高電圧低電流且つ熱量を効果的に導出する発光ダイオードのフリップチップ構造を提供する。【解決手段】シリコン基板１の一面には等間隔で導電部１１を設け、該導電部１１同士の間には閉路区１２を形成し、チップ２の同一面上にはプラス極２１とマイナス極２２を設け、該チップ２はフリップチップの方式で該プラス極２１とマイナス極２２とを該導電部１１上にて電気的に相通した状態とし、該チップ２が該導電部１１の両端をプラス極とマイナス極とに定義し、該チップ２と連結されていないターミナルピン３３を外部の電源と連結させ、単一の発光ダイオードを単色と多色の光源にせしめる。【選択図】図１
0003098474.tif 000002
【実用新案登録請求の範囲】
【請求項１】
シリコン基板とチップとを含み、
一面には等間隔で設けられた導電部を具有し、該導電部同士の間には閉路区が形成されている該シリコン基板と、
同一面上にはそれぞれプラス極とマイナス極とを具有し、且つフリップチップ方式で同一面上に位置する該プラス極とマイナス極とを該基板上の導電部上にて電気的に相通した状態を形成し、且つ導電部の両端をプラス極とマイナス極とに定義し、まだ連結されていない導電部を残して外部の電源供給用とする該チップと、
を具有し、単一の発光ダイオードの発光色を、単色と多色の両者の発光が可能になるようにし、且つ効果的に該チップの発する熱量を導出する効果を提供することを特徴とする発光ダイオードのフリップチップ構造。
【考案の詳細な説明】
【０００１】
【考案の属する技術分野】
本考案は発光ダイオードのフリップチップ構造に係り、特に単一の発光ダイオードにより単色と多色の両者の発光を可能にし、且つ高電圧低電流の特性をもたらし、並びに効果的にチップが発する熱量を導出する発光ダイオードのフリップチップ構造に関わる。
【０００２】
【従来の技術】
公知における発光ダイオードの製法を簡単に記すと、先ず基板上に単一のチップを設置しており、この際該チップのプラス極とマイナス極は上向きに設置し、該チップのプラス極とマイナス極とをワイヤにより該チップを一つ以上のターミナルピンと接続した後、パッケージングを行って完全な発光ダイオードの完成とする。
しかしこのような発光ダイオードは単一のチップにより構成されていることより、発光源はやや弱いことが言え、高い照度の需要には応えることができないため、この欠点を解決するべく考案されているのが以下である。
先ず該基板上には一つ以上のチップを設け、該一つ以上のチップのプラス極とマイナス極とを上向きに設置し、更に該一つ以上のチップのプラス極とマイナス極とをワイヤにより直列させた後にターミナルピンと接続し、パッケージングを行って完全な発光ダイオードとする。
【０００３】
【考案が解決しようとする課題】
上述のように、該単一の発光ダイオードが発する光源は比較的強いが、発光ダイオードの体積はもとより小さいことから、該チップの体積も相当小さなものにしなければならず、また該発光ダイオード製作における難易度が高いこと、該発光ダイオードはチップが多いことから電圧が大きくなければならない、などの問題がある。また電流は大きくなればなるほど電源の供給が難しくなること、該発光ダイオードの使用に併せて必要となる交流電流を直流電流の整流設備や変圧回路設備のコストや製作における複雑さが増してしまい、且つ長期的に使用することでは相当な電力を消耗することと、更には該電源供給器が負荷に耐えられなくなること、または放熱の問題など、さまざまな問題が未だ解決されていない。
そこで上述の問題を解決し、高電圧低電流且つ熱量を効果的に導出する本考案の発光ダイオードのフリップチップ構造を提供する。
【０００４】
【課題を解決するための手段】
シリコン基板とチップとより構成し、該シリコン基板の一面には等間隔で導電部を設け、該導電部同士の間には閉路区を形成し、該チップの同一面上にはそれぞれプラス極とマイナス極の電極を設け、該チップはフリップチップの方式で該プラス極とマイナス極とを該基板の導電部上にて電気的に相通した状態とし、該チップが該導電部の両端をプラス極とマイナス極とに定義し、該チップとまだ連結されていないターミナルピンを外部の電源と連結させることにより、単一の発光ダイオードを単色と多色の光源にせしめ、且つ高電圧低電流の特性をもたらし、チップの発する熱量を効果的に導出する効果を提供する。
本考案の発光ダイオードのフリップチップ構造は、
シリコン基板とチップとを含み、
一面には等間隔で設けられた導電部を具有し、該導電部同士の間には閉路区が形成されている該シリコン基板と、
同一面上にはそれぞれプラス極とマイナス極とを具有し、且つフリップチップ方式で同一面上に位置する該プラス極とマイナス極とを該基板上の導電部上にて電気的に相通した状態を形成し、且つ導電部の両端をプラス極とマイナス極とに定義し、まだ連結されていない導電部を残して外部の電源供給用とする該チップと、
を具有し、単一の発光ダイオードの発光色を、単色と多色の両者の発光が可能になるようにし、且つ効果的に該チップの発する熱量を導出する効果を提供することを特徴とする。
【０００５】
【考案の実施の形態】
図１，２，３の各図に示すように、本考案はシリコン基板１と一つ以上のチップ２とにより構成され、単一の発光ダイオードを単色と多色の光源にするものであり、高電圧低電流の特性をもたらし、該チップ２の発する熱量を導出する効果を提供するものである。
上述の該シリコン基板１の一面には等間隔で導電部１１を設け、且つ該導電部１１同士の間には閉路区１２を形成する。
該一つ以上のチップ２の同一面上にはそれぞれプラスの電極２１とマイナスの電極２２とを具有し、且つ該一つ以上のチップ２はフリップチップ方式で、同一面上のプラス極２１とマイナス極２２を電気的に相通した状態にしており、尚且つ該導電部１１の両端は該一つ以上のチップ２でプラス極とマイナス極とに定義され、該チップ２とまだ連結されていない導電部１１は外部の電源と連結されるのに使用し（図中なし）、該一つ以上のチップ２は単色或いは多色の光源にする。
【０００６】
図４に示すように、本考案の使用においては、該発光ダイオード３は樹脂或いは透明の被覆材をパッケージ材として本体３１が形成されており、該本体３１の片側の面にはアーチ型を呈した集光部３２が設けられており、該本体３１の両側にはそれぞれターミナルピン３３が設けられており、該ピン３３はシリコン基板上のまだ該チップ２と連結されていない導電部１１と電気的に連結されて外部の電源（図中なし）から電源を供給する。該外部から電源が供給されることで該導電部１１に電力を与え、該一つ以上のチップ２（単色或いは多色）を同時に発光させる。こうして単一の発光ダイオードの発光を、単色或いは多色の光源とすることができ、該発光ダイオード３に高電圧低電流の特性をもたらし、且つ効果的に該一つ以上のチップ２の発する熱量を導出する効果を提供する。
【０００７】
【考案の効果】
本考案によると、単一の発光ダイオードを単色と多色の両者の発光を可能にし、且つ高電圧低電流の特性を具有することから効果的にチップの発する熱量を導出することに成功した。
【図面の簡単な説明】
【図１】本考案の立体外観説明図である。
【図２】本考案の立体分解説明図である。
【図３】本考案の断面図である。
【図４】本考案がパッケージされた後における説明図である。
【符号の説明】
１　シリコン基板
１１　導電部
１２　閉路区
２　チップ
２１　プラス極
２２　マイナス極
３　発光ダイオード
３１　本体
３２　集光部
３３　ターミナルピン
【図１】
0003098474.tif 000003
【図２】
0003098474.tif 000004
【図３】
0003098474.tif 000005
【図４】
0003098474.tif 000006